(57)【要約】【課題】点火及び消火用の操作ボタンの表面に設けた点火の有無を報知する点火表示窓に煮こぼれにともなう煮汁が付着して汚れることを防止できるようにし、かつ操作ボタンの押圧操作時に煮汁による滑りを防止できるガスコンロを提供する。【解決手段】バーナの点火・消火操作を行なうプッシュ式の操作ボタン９ａに、表面側が操作ボタン９ａの表面から突出するようにして点火表示窓１０ａを取付けることにより、調理時に煮こぼれが発生して煮汁が操作ボタン９ａの上部付近に付着して下方に垂れた場合でも、突出している点火表示窓１０ａの上部で煮汁を受け止めることができるので、点火表示窓１０ａの表面先端側に煮汁が付着することを防止することができ、更に、突出している点火表示窓１０ａ付近を押圧することにより、煮汁による滑りを防止することができる。【選択図】図５
2006017354.tif 000002
【特許請求の範囲】
【請求項１】
コンロ本体の上部にバーナを備え、前記コンロ本体の前面に設けた前面操作パネル面に、前記バーナの点火・消火操作を行なうプッシュ式の操作ボタンを設置し、前記操作ボタンに形成した開口穴に可視光を透過する点火表示窓を設けると共に、前記点火表示窓の背面側に前記操作ボタンの押圧による前記バーナの点火又は消火の状態を表示する表示手段を設けたガスコンロであって、
前記点火表示窓の表面側を前記操作ボタンの表面よりも突出するようにして、前記開口穴に前記点火表示窓を取付けた、
ことを特徴とするガスコンロ。
【請求項２】
前記操作ボタンは前記前面操作パネル面に左右方向にそって横長状に形成されており、前記点火表示窓は、前記操作ボタンの表面中央近傍に細横長状に突出するように設けられている、
ことを特徴とする請求項１に記載のガスコンロ。
【発明の詳細な説明】
【技術分野】
【０００１】
本発明は、ガスコンロに関し、詳しくは前面操作パネル面に、バーナ等の点火・消火を行うプッシュ式の操作ボタンを有しているガスコンロに関する。
【背景技術】
【０００２】
ガスコンロの前面操作パネル面には、点火及び消火用の操作ボタンが設置されており、この操作ボタンによる点火操作（操作ボタンのプッシュ操作など）によってバーナ点火装置に放電火花を発生させてバーナに点火する（例えば、特許文献１参照。）。
【０００３】
上記特許文献１のガスコンロでは、図８に示すように、前面操作パネル面（不図示）に設置される点火及び消火用の操作ボタン１００の表面中央部付近に点火のオン、オフ状態を表示するための点火表示窓１０１が設けられており、操作ボタン１００のプッシュ操作によりバーナが点火されると、点火表示窓１０１内のＬＥＤ（不図示）が点灯して使用者にバーナが点火中であることを報知することができる。また、バーナの点火状態から操作ボタン１００を再度プッシュ操作して消火すると点火表示窓１０１内のＬＥＤが消灯することにより、使用者にバーナが消火したことを報知することができる。
【特許文献１】特開平９−８９２６４号公報（図１、図２）
【発明の開示】
【発明が解決しようとする課題】
【０００４】
ところで、上記した図８に示したような従来の操作ボタン１００に設けられる点火表示窓１０１の表面は、操作ボタン１００の表面から突出することなく略同一面状に設置されている。このため、バーナを点火して調理時に煮こぼれが生じて前面操作パネル面に煮こぼれしたときに、煮汁等が垂れて操作ボタン１００に付着すると点火表示窓１０１の表面にも付着して汚すことにより、点火表示窓１０１を通して内側のＬＥＤの点灯、消灯（オン、オフ）によるバーナの点火の有無が確認し難くなる。
【０００５】
また、図８に示したような従来の操作ボタン１００は表面全体が滑らかに形成されているので、煮こぼれによって煮汁が操作ボタン１００の表面に付着すると煮汁が操作ボタン１００の押圧位置付近まで垂れることにより、操作ボタン１００を押圧操作するときに指先に煮汁が付着して滑り易くなる。
【０００６】
そこで本発明は、点火及び消火用の操作ボタンの表面に設けた点火の有無を報知する点火表示窓に煮こぼれにともなう煮汁が付着して汚れることを防止することができるガスコンロを提供することを目的とする。
【０００７】
また、本発明は、操作ボタンを押圧操作するときに煮汁等による滑りを防止することができるガスコンロを提供することを目的とする。
【課題を解決するための手段】
【０００８】
上記目的を達成するために本発明は、コンロ本体の上部にバーナを備え、前記コンロ本体の前面に設けた前面操作パネル面に、前記バーナの点火・消火操作を行なうプッシュ式の操作ボタンを設置し、前記操作ボタンに形成した開口穴に可視光を透過する点火表示窓を設けると共に、前記点火表示窓の背面側に前記操作ボタンの押圧による前記バーナの点火又は消火の状態を表示する表示手段を設けたガスコンロであって、前記点火表示窓の表面側を前記操作ボタンの表面よりも突出するようにして、前記開口穴に前記点火表示窓を取付けたことを特徴としている。
【０００９】
また、前記操作ボタンは前記前面操作パネル面に左右方向にそって横長状に形成されており、前記点火表示窓は、前記操作ボタンの表面中央近傍に細横長状に突出するように設けられていることを特徴としている。
【発明の効果】
【００１０】
請求項１に記載の発明によれば、点火表示窓の表面側を操作ボタンの表面よりも突出するようにしたことにより、調理時に煮こぼれが発生して煮汁が操作ボタンの上部付近に付着して下方に垂れた場合でも、突出している点火表示窓の上部で煮汁を受け止めることができるので、点火表示窓の表面先端側に煮汁が付着することを防止することができる。よって、点火表示窓が煮汁で汚れることが防止され、点火時に表示手段による点火表示を点火表示窓を通して良好に視認することができる。
【００１１】
また、請求項２に記載の発明によれば、点火表示窓を横長状の操作ボタンの表面中央近傍に細横長状に突出するように設けたことにより、突出した点火表示窓は操作ボタンを押圧するときの滑り止めの役目も果たすことができるので、操作性よく確実に点火及び消火操作を行なうことができる。
【発明を実施するための最良の形態】
【００１２】
以下、本発明を図示の実施形態に基づいて説明する。
〈実施形態１〉
図１は、本発明の実施形態１に係るガスコンロを示す概略斜視図、図２は、その概略正面図である。なお、図１、図２は、ガスコンロ単体の状態を示しており、実際にはシステムキッチン等に組み込まれて使用される。
【００１３】
本実施形態に係るガスコンロ１はビルトインタイプのコンロであり、コンロ本体２の上部に設けたトッププレート３に３つのバーナ（手前の左右側とその奥側）４ａ、４ｂ、４ｃがそれぞれ設置されており、コンロ本体２内の中央部にはその前後方向に沿ってグリル５が設置されている。コンロ本体２の前面側に設けた前面操作パネル面６の中央部には、グリル５の前面開口を開閉するグリル扉７がその前後方向に摺動自在に装着されている。グリル扉７の下部に取付けた横長のグリル取手部８を手前に引くことにより、グリル扉７と一体に移動するグリル庫（不図示）内に配置したグリル皿（不図示）を取り出すことができる。
【００１４】
前面操作パネル面６の下部には、グリル扉７を中央にしてその左側にバーナ４ｃ、４ａ用の点火・消火を行なう各操作ボタン９ａ、９ｂが略接するようにして横に並べて設置され、グリル扉７を中央にしてその右側にバーナ４ｂとグリル５用の点火・消火を行なう各操作ボタン９ｃ、９ｄが略接するようにして横に並べて設置されている。各操作ボタン９ａ、９ｂ、９ｃ、９ｄはプッシュ式のスイッチであり、押し込むとガス弁（不図示）が開いて点火状態となり点火後に離して元の位置に戻しても点火状態が維持され、この状態から消火するときには再度押し込むとガス弁（不図示）が閉じて消火状態となる。
【００１５】
各操作ボタン９ａ、９ｂ、９ｃ、９ｄの表面は、上方から押し操作しやすいように下部側が前方に突出するように傾斜している。このように、前面操作パネル面６の下部に位置する横長のグリル取手部８と、４つの横長の各操作ボタン９ａ、９ｂ、９ｃ、９ｄを、左右方向に沿って直線状に配列してすっきりとしたデザインにし、操作性と見栄えの両立を図っている。
【００１６】
また、各操作ボタン９ａ、９ｂ、９ｃ、９ｄの表面中央部付近には、バーナ４ｃ、４ａ、バーナ４ｂ、グリル５のそれぞれの点火のオン、オフ状態を報知するための細横長状の点火表示窓１０ａ、１０ｂ、１０ｃ、１０ｄがそれぞれ設けられている（本発明の特徴である点火表示窓１０ａ、１０ｂ、１０ｃ、１０ｄの詳細については後述する）。
【００１７】
前面操作パネル面６の上部には、グリル扉７を中央にしてその左側にバーナ４ｃ、４ａ用の各火力調整レバー１１ａ、１１ｂが横に並べて設置され、グリル扉７を中央にしてその右側にバーナ４ｂとグリル５用の各火力調整レバー１１ｃ、１１ｄが横に並べて設置されている。各火力調整レバー１１ａ、１１ｂ、１１ｃ、１１ｄは横方向（左右方向）にスライド自在であり、左端側が火力強の位置で、右端側が火力弱の位置である。
【００１８】
前面操作パネル面６の右側中央部には、操作パネル１２が取付けられている。操作パネル１２には、揚げもの調理時の温度設定、炊飯時の温度設定、消火までのタイマー設定などを行なう各操作部が設けられている。また、前面操作パネル面６の左側中央部には、この前面操作パネル面６の左側前飾りパネルを兼ねている表面側が平板状の電池ケース蓋１３が開閉自在に取付けられている。電池ケース蓋１３の裏側には、乾電池を収納した電池ケース（不図示）が設置されている。電池ケース（不図示）内に収納される乾電池（例えば直列に２個連結した単１乾電池）は、各操作ボタン９ａ、９ｂ、９ｃ、９ｄによる点火操作（プッシュ操作）によってバーナ点火装置（不図示）に放電火花を発生させて各バーナ４ａ、４ｂ、４ｃやグリル５に点火させるための電源、及び操作パネル１２の複数の表示用ＬＥＤ１４や内部の回路等を動作させるための電源である。
【００１９】
点火表示窓１０ａ、１０ｂ、１０ｃ、１０ｄは略透明な樹脂材で形成されており、図３、図４に示すように、各操作ボタン９ａ、９ｂ、９ｃ、９ｄの表面から少し突出し、細長状に形成されている。点火表示窓１０ａ、１０ｂ、１０ｃ、１０ｄの内側は凹んでいる。なお、各点火表示窓１０ａ、１０ｂ、１０ｃ、１０ｄは同様に形成されているので、以下、操作ボタン９ａの点火表示窓１０ａで説明する。
【００２０】
突起状の点火表示窓１０ａは、図５に示すように、操作ボタン９ａに形成した細長開口穴９ｅに表面先端側が突出するようにして取付けられており、点火表示窓１０ａの後部平板部１０ｅが操作ボタン９ａの裏面に接着剤で固着されている。点火表示窓１０ａの表面は平滑状に形成されている。操作ボタン９ａの前面操作パネル面６内に位置する上部両端面には、回動軸１５が形成されており、前面操作パネル面６の内側に形成した軸受け部１６に揺動自在に支持されている。
【００２１】
操作ボタン９ａ内の上部後方には、ＬＥＤ１７を内側に取付けたＬＥＤ保持板１８が設置されており、ＬＥＤ保持板１８は操作ボタン９ａ内の両端側に取付けられている。ＬＥＤ１７の下方には、点火表示窓１０ａの位置に合わせて反射板１９が設置されており、反射板１９はＬＥＤ保持板１８の表面に一体的に設けられている。ＬＥＤ保持板１８の裏面（点火表示窓１０ａと反対側の面）には、プッシュプッシュ機構を有するガス弁の開閉操作部材（不図示）が当接しており、操作ボタン９ａと一体に回動するＬＥＤ保持板１８を図５の左側方向に常に付勢している。
【００２２】
操作ボタン９ａ（操作ボタン９ｂ、９ｃ、９ｄも同様）は、消火時（図５に示す状態）にはプッシュプッシュ機構を有するガス弁の開閉操作部材（不図示）がＬＥＤ保持板１８の裏面に当接して付勢されている。そして、使用者（調理者）が操作ボタン９ａを押圧すると回動軸１５を中心にして揺動し、ＬＥＤ保持板１８がプッシュプッシュ機構を有するガス弁の開閉操作部材（不図示）を押圧してガス弁（不図示）を開くと共に、バーナ点火装置（不図示）に放電火花を発生させて操作ボタン９ａに対応しているバーナ４ａを点火させる。
【００２３】
この際、同時にＬＥＤ１７への通電がオンされてＬＥＤ１７が発光し、反射板１９により反射されたその反射光は点火表示窓１０ａの後方から点火表示窓１０ａを透過して使用者に点火中であることを表示する。
【００２４】
また、点火表示窓１０ａが操作ボタン９ａの表面から突出していることにより、バーナ４ａに点火して調理時に煮こぼれが発生して煮汁が操作ボタン９ａの上部付近に付着して下方に垂れた場合でも、突出している点火表示窓１０ａの上部で煮汁を受け止めることができるので、点火表示窓１０ａの表面前面側に煮汁が付着することが防止される。よって、点火表示窓１０ａの表面前面側が煮汁で汚れることが防止されることにより、長期にわたって点火時にＬＥＤ１７の光を点火表示窓１０ａを通して良好に視認することができる。
【００２５】
また、操作ボタン９ａを押圧してバーナ４ａの点火及び消火を行なう際に、横長状の点火表示窓１０ａがその中央付近に突出するように位置しているので、この操作ボタン９ａを押圧するときの滑り止めの役目も果たすことにより、操作性よく確実に点火及び消火操作を行なうことができる。なお、点火表示窓１０ｂ、１０ｃ、１０ｄをそれぞれ設けた各操作ボタン９ｂ、９ｃ、９ｄにおいても同様である。
〈実施形態２〉
図６は、本発明の実施形態に係るガスコンロの前面操作パネル面の左側付近を示す斜視図、図７は、本発明の実施形態に係るガスコンロの操作ボタン付近を示す断面図である。なお、図１〜図５に示した実施形態１と同一機能を有する部材には同一符号を付し、重複する説明は省略する。
【００２６】
本実施形態では、図６、図７に示すように、操作ボタン９ａの表面中央部付近に設けた横長状の突出した点火表示窓１０ａの表面に横長状の凹み１０ｆを形成した。他の構成及び動作は上記した実施形態１と同様である。なお、点火表示窓１０ｂ、１０ｃ、１０ｄをそれぞれ設けた各操作ボタン９ｂ、９ｃ、９ｄにおいても同様の構成である。
【００２７】
本実施形態のように各点火表示窓１０ａ、１０ｂ、１０ｃ、１０ｄの表面に横長状の凹み１０ｆを設けることにより、各操作ボタン９ａ、９ｂ、９ｃ、９ｄを押圧するときの滑り止めの効果がより良好になり、操作性よく確実に点火及び消火操作を行なうことができる。
【００２８】
また、上記した各実施形態では、ＬＥＤの点灯、消灯を各点火表示窓を通して、バーナやグリルの点火及び消火を視認する構成であったが、各点火表示窓の後方に点火時に例えば赤色の表示板が移動して位置するようにして、各点火表示窓を通して前記赤色の表示板を視認するような構成のガスコンロにおいても、同様に本発明を適用することができ、更に、電気コンロや電磁調理器（ＩＨ調理器）に設けられる操作ボタンにおいても、同様に本発明を適用することができる。
【００２９】
また、上記した各実施形態では、各操作ボタンに設けた各点火表示窓は１本の細横長形状であったが、上記したように煮こぼれ防止と滑り止めが確保されるのであれば、細横長形状以外の形状でもよく、更に、点火表示窓を複数設けてもよい。
【図面の簡単な説明】
【００３０】
【図１】本発明の実施形態１に係るガスコンロを示す概略斜視図。
【図２】本発明の実施形態１に係るガスコンロを示す概略正面図。
【図３】本発明の実施形態１に係るガスコンロの前面操作パネル面の左側を示す概略斜視図。
【図４】本発明の実施形態１に係るガスコンロの前面操作パネル面の右側を示す概略斜視図。
【図５】本発明の実施形態１に係るガスコンロの操作ボタン付近を示す断面図。
【図６】本発明の実施形態２に係るガスコンロの前面操作パネル面の左側を示す概略斜視図。
【図７】本発明の実施形態２に係るガスコンロの操作ボタン付近を示す断面図。
【図８】従来例におけるガスコンロの操作ボタンを示す正面図。
【符号の説明】
【００３１】
１        ガスコンロ
２        コンロ本体
３        トッププレート
４ａ、４ｂ、４ｃ      バーナ
５        グリル
６        前面操作パネル面
９ａ、９ｂ、９ｃ、９ｄ      操作ボタン
１０ａ、１０ｂ、１０ｃ、１０ｄ      点火表示窓
１１ａ、１１ｂ、１１ｃ、１１ｄ      火力調整レバー
【図１】
2006017354.tif 000003
【図２】
2006017354.tif 000004
【図３】
2006017354.tif 000005
【図４】
2006017354.tif 000006
【図５】
2006017354.tif 000007
【図６】
2006017354.tif 000008
【図７】
2006017354.tif 000009
【図８】
2006017354.tif 000010